(57)【要約】【課題】放射線画像と、被検体との対応関係の認識が容易となる放射線画像撮影装置を提供することである。【解決手段】実施形態に係る放射線画像撮影装置は、放射線を発生させる放射線発生器と、前記放射線発生器から照射され、被検体を透過した前記放射線を検出する放射線検出器と、前記放射線検出器により検出された前記放射線の強度分布に基づいて放射線画像信号を作成する第１の画像構成部と、前記放射線発生器と、前記放射線検出器と、の間に設けられ、前記放射線発生器から照射された前記放射線を透過し、可視光を反射する反射部と、前記放射線画像信号に基づいて光学画像を作成し、前記反射部を介して前記光学画像を前記被検体の放射線撮影領域に投影する投影部と、を備えている。【選択図】図１
2017184949.tif 000002
【特許請求の範囲】
【請求項１】
放射線を発生させる放射線発生器と、
前記放射線発生器から照射され、被検体を透過した前記放射線を検出する放射線検出器と、
前記放射線検出器により検出された前記放射線の強度分布に基づいて放射線画像信号を作成する第１の画像構成部と、
前記放射線発生器と、前記放射線検出器と、の間に設けられ、前記放射線発生器から照射された前記放射線を透過し、可視光を反射する反射部と、
前記放射線画像信号に基づいて光学画像を作成し、前記反射部を介して前記光学画像を前記被検体の放射線撮影領域に投影する投影部と、
を備えた放射線画像撮影装置。
【請求項２】
前記放射線撮影領域の画像を撮影する撮影部をさらに備え、
前記第１の画像構成部は、前記撮影部により撮影された前記画像に基づいて、前記放射線画像信号に含まれている輝度に関する情報および色調に関する情報の少なくともいずれかを補正する請求項１記載の放射線画像撮影装置。
【請求項３】
前記放射線検出器の前記放射線の入射側の表面には、マークが設けられ、
前記撮影部は、前記マークを撮影し、
前記第１の画像構成部は、前記撮影部により撮影された前記マークに基づいて、前記放射線画像信号に含まれている拡大率に関する情報および回転方向の位置に関する情報の少なくともいずれかを補正する請求項２記載の放射線画像撮影装置。
【請求項４】
放射線を発生させる放射線発生器と、
前記放射線発生器から照射され、被検体を透過した前記放射線を検出する放射線検出器と、
前記被検体の放射線撮影領域の画像を撮影する撮影部と、
前記放射線検出器により検出された前記放射線の強度分布に基づいて放射線画像信号を作成し、前記作成された放射線画像信号と、前記撮影部により撮影された前記画像の画像信号と、を合成する第２の画像構成部と、
を備えた放射線画像撮影装置。
【請求項５】
前記放射線検出器の前記放射線の入射側の表面には、マークが設けられ、
前記撮影部は、前記マークを撮影し、
前記第２の画像構成部は、前記撮影部により撮影された前記マークに基づいて、前記放射線画像信号に含まれている拡大率に関する情報および回転方向の位置に関する情報の少なくともいずれかを補正する請求項４記載の放射線画像撮影装置。
【請求項６】
前記マークは、平面視において前記放射線検出器の有効画素領域の外側に設けられている請求項３または５に記載の放射線画像撮影装置。
【請求項７】
前記投影部の焦点と、前記放射線検出器との間の光学距離は、前記放射線発生器の焦点と、前記放射線検出器との間の距離に等しい請求項１、２、３、６のいずれか１つに記載の放射線画像撮影装置。
【請求項８】
前記投影部からの可視光を透過し、前記放射線撮影領域から前記撮影部に向かう可視光を反射させるハーフミラーをさらに備えた請求項２、３、６、７のいずれか１つに記載の放射線画像撮影装置。
【発明の詳細な説明】
【技術分野】
【０００１】
本発明の実施形態は、放射線画像撮影装置に関する。
【背景技術】
【０００２】
放射線画像撮影装置の一例にＸ線画像撮影装置がある。現在実用化されているＸ線画像撮影装置においては、Ｘ線発生器から照射され人体等の被検体を透過したＸ線の強度分布をＸ線検出器により検出し、検出された電荷信号をデジタルデータに変換し、得られたデジタルデータに対してノイズの除去や輝度の調整などの補正を行いＸ線画像を作成し、作成したＸ線画像を被検体から離れた場所に設けられたディスプレイに表示するようにしている。  
この場合、処置を行う者は、ディスプレイに表示されたＸ線画像に基づいて被検体のどの部位に異変があるかを判断し、異変があると判断された部位に対して処置を施すようにしている。
【０００３】
ところが、ディスプレイに表示されたＸ線画像は透過画像のため、ディスプレイに表示されたＸ線画像と、被検体とでは左右が逆になる。  
また、ディスプレイに表示されたＸ線画像と、被検体とでは、倍率や傾きが異なる場合がある。そのため、Ｘ線画像における部位の位置と、被検体における部位の位置とを正確に対応させることが難しい場合もある。  
その結果、ディスプレイに表示されたＸ線画像に基づいて被検体に処置を施すと、処置を誤るおそれがある。  
被検体が人体等である場合には、処置の誤りは大きな問題となる。また、医療行為には緊急性を有する場合もあり、処置の誤りが発生するおそれがある。  
そこで、放射線画像と、被検体との対応関係の認識が容易となる技術の開発が望まれていた。
【先行技術文献】
【特許文献】
【０００４】
【特許文献１】特開２００９−２０５１０３号公報
【特許文献２】特開２０１０−５５０３３号公報
【発明の概要】
【発明が解決しようとする課題】
【０００５】
本発明が解決しようとする課題は、放射線画像と、被検体との対応関係の認識が容易となる放射線画像撮影装置を提供することである。
【課題を解決するための手段】
【０００６】
実施形態に係る放射線画像撮影装置は、放射線を発生させる放射線発生器と、前記放射線発生器から照射され、被検体を透過した前記放射線を検出する放射線検出器と、前記放射線検出器により検出された前記放射線の強度分布に基づいて放射線画像信号を作成する第１の画像構成部と、前記放射線発生器と、前記放射線検出器と、の間に設けられ、前記放射線発生器から照射された前記放射線を透過し、可視光を反射する反射部と、前記放射線画像信号に基づいて光学画像を作成し、前記反射部を介して前記光学画像を前記被検体の放射線撮影領域に投影する投影部と、を備えている。
【図面の簡単な説明】
【０００７】
【図１】Ｘ線画像撮影装置１００を例示するための模式図である。
【図２】Ｘ線検出器１を例示するための模式斜視図である。
【図３】表示部６ａに表示されるＸ線画像２１０を例示するための模式図である。
【図４】Ｘ線画像撮影装置１０１を例示するための模式図である。
【図５】被検体２００のＸ線撮影領域２００ａに投影されたＸ線画像２１０を例示するための模式図である。
【図６】（ａ）〜（ｆ）は、Ｘ線検出器１に設けられたマーク１ａ、１ｂを例示するための模式平面図である。
【図７】Ｘ線画像撮影装置１０２を例示するための模式図である。
【発明を実施するための形態】
【０００８】
以下、図面を参照しつつ、実施の形態について例示をする。なお、各図面中、同様の構成要素には同一の符号を付して詳細な説明は適宜省略する。  
本実施の形態に係る放射線画像撮影装置は、被検体を透過した放射線を検出する放射線検出器を備えている。放射線検出器には、大きく分けて直接変換方式と間接変換方式がある。  
以下においては、一例として、間接変換方式の放射線検出器を例示するが、本実施の形態に係る放射線画像撮影装置に設けられる放射線検出器は、直接変換方式の放射線検出器であってもよい。  
すなわち、放射線検出器は、放射線を信号電荷に変換する光電変換膜を有し放射線を直接的に検出する直接変換方式の放射線検出器、または、放射線をシンチレータと協働して検出する間接変換方式の放射線検出器であればよい。  
なお、直接変換方式の放射線検出器には既知の技術を適用することができるので詳細な説明は省略する。
【０００９】
また、放射線画像撮影装置は、例えば、一般医療用途などに用いることができるが、用途に限定はない。  
また、以下に例示をする放射線画像撮影装置は、、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【００１０】
（第１の実施形態）  
図１は、Ｘ線画像撮影装置１００を例示するための模式図である。  
図２は、Ｘ線検出器１を例示するための模式斜視図である。  
図１に示すように、Ｘ線画像撮影装置１００には、Ｘ線検出器１、画像構成部２（第１の画像構成部の一例に相当する）、投影部３、反射部４、Ｘ線発生器５、操作部６、および制御部７が設けられている。  
Ｘ線検出器１は、Ｘ線発生器５から照射され、被検体２００を透過したＸ線を検出する。
図２に示すように、Ｘ線検出器１には、アレイ基板１０、回路基板１１、支持板１２、およびシンチレータ１３が設けられている。  
また、Ｘ線検出器１は、アレイ基板１０、回路基板１１、支持板１２、およびシンチレータ１３が収納される図示しない筐体をさらに備えることができる。アレイ基板１０は、筐体の内部に固定された支持板１２の、Ｘ線が入射する側の面に設けられている。回路基板１１は、支持板１２の、アレイ基板１０が設けられる側とは反対側の面に設けられている。
【００１１】
アレイ基板１０は、シンチレータ１３によりＸ線から変換された蛍光（可視光）を信号電荷に変換する。  
アレイ基板１０は、基板１０ａ、光電変換部１０ｂ、制御ライン（又はゲートライン）１０ｃ１、データライン（又はシグナルライン）１０ｃ２などを有する。  
なお、光電変換部１０ｂ、制御ライン１０ｃ１、およびデータライン１０ｃ２の数などは例示をしたものに限定されるわけではない。
【００１２】
基板１０ａは、板状を呈し、無アルカリガラスなどの透光性材料から形成されている。  光電変換部１０ｂは、基板１０ａの一方の表面に複数設けられている。  
光電変換部１０ｂは、矩形状を呈し、制御ライン１０ｃ１とデータライン１０ｃ２とにより画された領域に設けられている。複数の光電変換部１０ｂは、マトリクス状に並べられている。なお、１つの光電変換部１０ｂは、１つの画素（pixel）に対応する。
【００１３】
複数の光電変換部１０ｂのそれぞれには、光電変換素子１０ｂ１と、スイッチング素子である薄膜トランジスタ（ＴＦＴ；Thin Film Transistor）１０ｂ２が設けられている。また、光電変換素子１０ｂ１において変換した信号電荷を蓄積する蓄積キャパシタ１０ｂ３を設けることができる。蓄積キャパシタ１０ｂ３は、例えば、矩形平板状を呈し、各薄膜トランジスタ１０ｂ２の下に設けることができる。ただし、光電変換素子１０ｂ１の容量によっては、光電変換素子１０ｂ１が蓄積キャパシタ１０ｂ３を兼ねることができる。  光電変換素子１０ｂ１は、例えば、フォトダイオードなどとすることができる。  
薄膜トランジスタ１０ｂ２は、蓄積キャパシタ１０ｂ３への電荷の蓄積、および、蓄積キャパシタ１０ｂ３に蓄積されている電荷の放出のスイッチングを行う。
【００１４】
回路基板１１は、フレキシブルプリント基板１４ａ、１４ｂを介してアレイ基板１０と電気的に接続されている。  
回路基板１１には、読み出し回路、増幅・変換回路、および制御回路が設けられている。
読み出し回路は、薄膜トランジスタ１０ｂ２のオン状態とオフ状態を切り替える。読み出し回路は、Ｘ線画像の走査方向に従って、対応する制御ライン１０ｃ１に制御信号Ｓ１を入力する。制御ライン１０ｃ１に入力された制御信号Ｓ１により薄膜トランジスタ１０ｂ２がオン状態となり、光電変換素子１０ｂ１からの信号電荷（画像データ信号Ｓ２）が受信できるようになる。
【００１５】
増幅・変換回路は、積分アンプ、並列−直列変換回路、およびアナログ−デジタル変換回路を有している。積分アンプは、データライン１０ｃ２と電気的に接続されている。並列−直列変換回路は、積分アンプと電気的に接続されている。アナログ−デジタル変換回路は、並列−直列変換回路と電気的に接続されている。  
積分アンプは、光電変換部１０ｂからの画像データ信号Ｓ２を順次受信する。そして、積分アンプは、一定時間内に流れる電流を積分し、その積分値に対応した電圧を並列−直列変換回路へ出力する。この様にすれば、所定の時間内にデータライン１０ｃ２を流れる電流の値（電荷量）を電圧値に変換することが可能となる。すなわち、積分アンプは、シンチレータ１３において発生した蛍光の強弱分布に対応した画像データ情報を、電位情報へと変換する。  
並列−直列変換回路は、電位情報へと変換された画像データ信号Ｓ２を順次直列信号に変換する。  
アナログ−デジタル変換回路は、直列信号に変換された画像データ信号Ｓ２をデジタル信号に順次変換する。
【００１６】
シンチレータ１３は、複数の光電変換素子１０ｂ１の上に設けられ、入射するＸ線を可視光すなわち蛍光に変換する。シンチレータ１３は、基板１０ａ上の複数の光電変換部１０ｂが設けられた領域（有効画素領域）を覆うように設けられている。  
シンチレータ１３は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ１３を形成すれば、複数の柱状結晶の集合体からなるシンチレータ１３が形成される。  
また、シンチレータ１３は、例えば、酸硫化ガドリニウム（Ｇｄ２Ｏ２Ｓ）などを用いて形成することもできる。この場合、複数の光電変換部１０ｂごとに四角柱状のシンチレータ１３が設けられるように、マトリクス状の溝部を形成することができる。
【００１７】
その他、Ｘ線検出器１には、蛍光の利用効率を高めて感度特性を改善するために、シンチレータ１３の表面側（Ｘ線の入射面側）を覆うように図示しない反射層を設けることができる。  
また、空気中に含まれる水蒸気により、シンチレータ１３の特性と図示しない反射層の特性が劣化するのを抑制するために、シンチレータ１３と図示しない反射層を覆う図示しない防湿体を設けることができる。
【００１８】
画像構成部２は、Ｘ線検出器１により検出されたＸ線の強度分布に基づいてＸ線画像信号（Ｘ線画像に関する画像データ信号）を作成する。
画像構成部２は、配線２ａを介して、回路基板１１に設けられたアナログ−デジタル変換回路と電気的に接続されている。なお、画像構成部２は、回路基板１１と一体化されていてもよい。  
図１に示すように、画像構成部２は、アナログ−デジタル変換回路によりデジタル信号に変換された画像データ信号Ｓ２に基づいて、Ｘ線画像信号を作成する。なお、Ｘ線画像信号の作成には既知の技術を適用することができるので、詳細な説明は省略する。
【００１９】
また、画像構成部２は、Ｘ線画像信号を、投影部３および操作部６に向けて出力する。  また、画像構成部２は、Ｘ線画像信号を、Ｘ線画像撮影装置１００の外部に設けられた機器に向けて出力することもできる。
【００２０】
投影部３は、配線３ａを介して画像構成部２と電気的に接続されている。  
投影部３は、Ｘ線画像信号に基づいて光学画像であるＸ線画像を作成し、反射部４を介してＸ線画像を被検体２００の放射線撮影領域２００ａに投影する。投影部３は、例えば、液晶プロジェクタなどとすることができる。
【００２１】
反射部４は、Ｘ線発生器５とＸ線検出器１との間に設けられている。この場合、反射部４とＸ線検出器１との間には、被検体２００が入り込めるスペースが設けられている。反射部４は、Ｘ線発生器５から照射されたＸ線の大部分を透過させる。反射部４を透過したＸ線は、被検体２００に照射され、被検体２００を透過したＸ線がＸ線検出器１に照射される。  
また、反射部４は、投影部３から照射された可視光（Ｘ線画像）を反射し、反射した可視光（Ｘ線画像）を被検体２００のＸ線撮影領域２００ａに照射する。
【００２２】
この場合、Ｘ線発生器５の焦点５ｃとＸ線検出器１との間の距離Ｌ１と、投影部３の焦点３ｂとＸ線検出器１との間の光学距離Ｌ２と、が等しくなるようにすることが好ましい。光学距離Ｌ２は、投影部３の焦点３ｂと反射部４との間の距離Ｌ２ａと、反射部４とＸ線検出器１との間の距離Ｌ２ｂとの和である。  
この様にすれば、撮影時に被検体２００の位置が変化しても、Ｘ線の拡大率と投影像（Ｘ線画像）の拡大率とを一致させることができる。そのため、被検体２００の位置を画像処理装置などにより検出し、Ｘ線の拡大率と投影像（Ｘ線画像）の拡大率とが一致するように投影像（Ｘ線画像）を補正する必要がない。その結果、Ｘ線画像撮影装置１００の構成を簡易なものとすることができる。  
なお、投影部３と反射部４とによるＸ線画像の投影に関する詳細は後述する。
【００２３】
反射部４は、例えば、ガラスや樹脂などからなる板材と、板材の表面に設けられた厚みの薄い金属膜とを有するものなどとすることができる。
【００２４】
Ｘ線発生器５は、例えば、Ｘ線を発生させる真空管とすることができる。  
Ｘ線発生器５は、フィラメント５ａおよびターゲット５ｂを有する。  
フィラメント５ａは、例えば、タングステンなどから形成され、図示しない高圧電源のマイナス側に電気的に接続されている。  
ターゲット５ｂは、例えば、銅、タングステン、モリブデンなどから形成され、図示しない高圧電源のプラス側に電気的に接続されている。  
Ｘ線発生器５には、Ｘ線の照射に必要な電力（管電流、管電圧）が図示しない高圧電源から供給される。Ｘ線発生器５は、フィラメント５ａにおいて電子を発生させ、供給された高電圧により加速させた電子をターゲット５ｂに衝突させることで、有効視野領域内にある被検体２００に向けてＸ線を照射する。なお、Ｘ線発生器５と反射部４との間には、Ｘ線発生器５から照射されたＸ線ビームの形状を整形する図示しないコリメータを設けることができる。
【００２５】
操作部６は、画像構成部２と電気的に接続されている。  
操作部６は、表示部６ａおよび入力部６ｂを有する。  
表示部６ａは、入力されたＸ線画像信号に基づいて光学画像であるＸ線画像を作成し、Ｘ線画像を表示する。表示部６ａは、例えば、フラットパネルディスプレイなどとすることができる。  
入力部６ｂは、画像構成部２に文字情報などを入力する。入力部６ｂは、例えば、キーボードなどとすることができる。  
なお、操作部６は、必ずしも必要ではなく、必要に応じて設けるようにすることができる。
【００２６】
制御部７は、例えば、ＣＰＵ（Central Processing Unit）と記憶装置を備えたコンピュータなどとすることができる。  
制御部７は、例えば、Ｘ線発生器５の動作とＸ線検出器１の動作を同期させる。例えば、制御部７は、Ｘ線発生器５を制御して、Ｘ線発生器５からＸ線を照射させる。そして、制御部７は、Ｘ線検出器１を制御して、Ｘ線の入射に同期させて撮影に必要な動作を実行させる。  
なお、Ｘ線発生器５に、Ｘ線検出器１からの同期信号によってＸ線を照射する機能が設けられている場合には、制御部７は、Ｘ線検出器１の動作を制御する。また、Ｘ線検出器１に、Ｘ線の入射を検出する機能が設けられている場合には、制御部７は、Ｘ線発生器５の動作を制御する。
【００２７】
また、制御部７は、Ｘ線画像撮影装置１００に設けられた他の要素の動作をも制御するものとすることもできる。
【００２８】
次に、投影部３と反射部４とによるＸ線画像の投影についてさらに説明する。  
図３は、表示部６ａに表示されるＸ線画像２１０を例示するための模式図である。  
処置を行う者は、図３に例示をしたようなＸ線画像２１０に基づいて被検体２００のどの部位に異変があるかを判断し、異変があると判断された部位に対して処置を施す。例えば、手術などを担当する医者は、表示部６ａに表示されたＸ線画像２１０に基づいて患者のどの部位に骨折や病変などがあるかを判断し、骨折や病変などがあると判断された部位に対して手術などの治療行為を行う。
【００２９】
ここで、表示部６ａに表示されたＸ線画像２１０は透過画像のため、被検体２００の撮影方向が分からない場合がある。例えば、被検体２００の部位が左右対称に配置されている場合には、被検体２００の裏表が逆になっても同様のＸ線画像２１０が得られる。そのため、表示部６ａに表示されたＸ線画像２１０に基づいて被検体２００に処置を施すと、左右を間違えるおそれがある。  
また、Ｘ線は、不必要に浴びると有害である。そのため、Ｘ線は、被検体２００の必要最小限の領域にのみ照射されるので、表示部６ａに表示されたＸ線画像２１０では、撮影箇所の正確な位置がわかりづらい場合がある。
【００３０】
また、表示部６ａに表示されたＸ線画像２１０と、被検体２００とでは、倍率や傾きが異なる場合がある。そのため、Ｘ線画像２１０における部位の位置と、被検体２００における部位の位置とを正確に対応させることが難しい場合もある。その結果、表示部６ａに表示されたＸ線画像２１０に基づいて被検体２００に処置を施すと、処置を施すべき部位を間違えるおそれがある。  
被検体２００が人体等である場合には、この様な間違えは大きな問題となる。また、医療行為には緊急性を有する場合もあり、この様な間違えが発生するおそれがある。
【００３１】
そこで、本実施の形態に係るＸ線画像撮影装置１００は、投影部３と、反射部４とを備えている。  
投影部３は、Ｘ線画像信号に基づいて光学画像であるＸ線画像２１０を作成し、反射部４を介してＸ線画像２１０を被検体２００の上に投影する。  
この際、反射部４は、投影部３から照射された可視光（Ｘ線画像２１０）を反射し、反射した可視光（Ｘ線画像２１０）を被検体２００のＸ線撮影領域２００ａに照射する。  
【００３２】
図４は、被検体２００のＸ線撮影領域２００ａに投影されたＸ線画像２１０を例示するための模式図である。
反射部４により投影部３から照射された可視光（Ｘ線画像２１０）を反射させることで、Ｘ線画像２１０の左右方向と、被検体２００の左右方向を一致させることができる。  
また、図４に示すように、Ｘ線画像２１０を被検体２００のＸ線撮影領域２００ａに投影させることで、撮影箇所の正確な位置を把握したり、Ｘ線画像２１０における部位と、被検体２００における部位との位置関係を把握したりすることが容易となる。
【００３３】
またさらに、Ｘ線発生器５の焦点５ｃとＸ線検出器１との間の距離Ｌ１と、投影部３の焦点３ｂと反射部４との間の距離Ｌ２ａおよび反射部４とＸ線検出器１との間の距離Ｌ２ｂの和Ｌ２（光学距離Ｌ２）とが等しくなるようにすれば、Ｘ線の拡大率と投影像（Ｘ線画像）の拡大率とを一致させることができるので、撮影箇所の把握や、部位の位置関係の把握がさらに容易となる。
【００３４】
（第２の実施形態）  
図５は、Ｘ線画像撮影装置１０１を例示するための模式図である。  
図５に示すように、Ｘ線画像撮影装置１０１には、Ｘ線検出器１、画像構成部２、投影部３、反射部４、Ｘ線発生器５、操作部６、制御部７、撮影部８、およびハーフミラー９が設けられている。  
すなわち、Ｘ線画像撮影装置１０１は、前述したＸ線画像撮影装置１００に、さらに撮影部８とハーフミラー９を加えたものである。  
撮影部８は、配線８ａを介して画像構成部２と電気的に接続されている。  
ハーフミラー９は、投影部３側から入射した可視光を透過させ、投影部３側とは反対側から入射した可視光を反射させる。すなわち、ハーフミラー９は、投影部３からの可視光を透過し、Ｘ線撮影領域２００ａから撮影部８に向かう可視光を反射させる。なお、ハーフミラー９は、必ずしも必要ではなく、必要に応じて設けるようにすることができる。
【００３５】
撮影部８は、ハーフミラー９を介して、被検体２００のＸ線撮影領域２００ａのカラー画像を撮影し、カラー画像の画像データ信号を画像構成部２に向けて出力する。撮影部８は、例えば、ＣＣＤ（Charge Coupled Device）センサなどとすることができる。
【００３６】
被検体２００のＸ線撮影領域２００ａにＸ線画像２１０を投影する場合、Ｘ線撮影領域２００ａの色や色分布によりＸ線画像２１０が見にくくなる場合がある。例えば、皮膚の色が異なる部分や体毛などにより、投影されたＸ線画像２１０が見にくくなる場合がある。
そこで、本実施の形態に係るＸ線画像撮影装置１０１は、撮影部８を備えている。  
画像構成部２は、撮影部８により撮影された画像に基づいて、Ｘ線画像信号に含まれている輝度に関する情報および色調に関する情報の少なくともいずれかを補正する。例えば、画像構成部２は、Ｘ線撮影領域２００ａのカラー画像の画像データ信号に基づいて、Ｘ線画像２１０の輝度や色調を補正する。すなわち、画像構成部２は、Ｘ線撮影領域２００ａにおける色分布情報に基づいて、Ｘ線画像２１０の輝度や色調を補正する。補正されたＸ線画像２１０は、投影部３によりＸ線撮影領域２００ａに投影される。
【００３７】
この様にすれば、Ｘ線撮影領域２００ａの色や色分布によりＸ線画像２１０が見にくくなるのを抑制することができる。そのため、より正確で視認しやすいＸ線画像２１０を投影することが可能となる。
【００３８】
また、光学距離Ｌ３と、前述した光学距離Ｌ２とが等しくなるようにすることが好ましい。光学距離Ｌ３は、撮影部８の焦点８ｂとハーフミラー９との間の距離Ｌ３ａと、ハーフミラー９と反射部４との間の距離Ｌ３ｂと、反射部４とＸ線検出器１との間の距離Ｌ２ｂとの和である。  
この様にすれば、撮影時に被検体２００の位置が変化しても、撮影部８により撮影される画像の倍率と、投影部３により投影される画像の倍率とが等しくなるようにすることができる。そのため、被検体２００の位置が変化することに伴う倍率補正を行う必要がなくなる。
【００３９】
ここで、得られるＸ線画像２１０の拡大率は、Ｘ線発生器５の焦点５ｃとＸ線検出器１との間の距離Ｌ１により変化する。また、得られるＸ線画像２１０の回転方向における位置は、Ｘ線検出器１の向きにより変化する。  
そのため、Ｘ線画像２１０を被検体２００の上に投影する際に、Ｘ線画像２１０の拡大率と回転方向における位置を演算し、演算結果に基づいてＸ線画像２１０の大きさと向きを補正することが好ましい。  
この場合、距離Ｌ１と回転方向における位置を検出するセンサを別途設けるようにすると、Ｘ線画像撮影装置１００の複雑化やコストアップが生じることになる。
【００４０】
そのため、本実施の形態に係るＸ線画像撮影装置１０１においては、Ｘ線検出器１に基準点となるマークを設け、被検体２００が無い状態において撮影部８がマークを撮影する。そして、画像構成部２は、撮影部８により撮影されたマークに基づいて、Ｘ線画像信号に含まれている拡大率に関する情報および回転方向の位置に関する情報の少なくともいずれかを補正する。例えば、画像構成部２は、撮影されたマークの大きさと角度情報に基づいてＸ線画像２１０の拡大率と回転方向における位置を演算し、演算結果に基づいてＸ線画像２１０の大きさと向きを補正する。  
すなわち、画像構成部２は、Ｘ線画像２１０の拡大率と回転方向における位置を演算し、演算結果に基づいてＸ線画像２１０の大きさと向きを補正する機能をさらに有する。
【００４１】
図６（ａ）〜（ｆ）は、Ｘ線検出器１に設けられたマーク１ａ、１ｂを例示するための模式平面図である。  
マーク１ａ、１ｂは、Ｘ線検出器１の、Ｘ線の入射側の表面に設けられている。マーク１ａ、１ｂは、印刷などにより設けることができる。一般的に、印刷などに用いられる顔料はＸ線を透過するが、顔料の特性によってはＸ線透過率が低くなる場合がある。そのため、平面視において有効画素領域の内部にマーク１ａ、１ｂが設けられていると、Ｘ線透過率が異なる部分が生じ、得られたＸ線画像２１０にＸ線透過率の差に起因する模様が発生するおそれがある。そのため、マーク１ａ、１ｂは、平面視において有効画素領域の外側に設けることが好ましい。
【００４２】
図６（ａ）〜（ｆ）に示すように、マーク１ａは有効画素領域の外縁を示すものとすることができる。  
マーク１ｂは、Ｘ線検出器１の一方の端部側（例えば、上側）を示すものとすることができる。  
画像構成部２は、マーク１ａを用いてＸ線画像２１０の拡大率を演算し、マーク１ｂを用いてＸ線画像２１０の回転方向における位置を演算する。
【００４３】
画像構成部２は、例えば、少なくとも３つのマーク１ａ、または、枠状のマーク１ａの少なくとも３つの角部を検出することで、マーク１ａにより画された領域の大きさを演算する。そして、画像構成部２は、予め定められた基準となる大きさと、演算された大きさとからＸ線画像２１０の拡大率を演算する。  
画像構成部２は、例えば、マーク１ｂの位置と、予め定められた基準となる位置とからＸ線画像２１０の回転方向における位置を演算する。
【００４４】
なお、Ｘ線検出器１に設けるマークの位置、数、形状、大きさなどは、例示をしたものに限定されるわけではない。Ｘ線検出器１に設けるマークは、Ｘ線画像２１０の拡大率と回転方向における位置を演算することができるものであれば特に限定はない。
【００４５】
（第３の実施形態）  
図７は、Ｘ線画像撮影装置１０２を例示するための模式図である。  
図７に示すように、Ｘ線画像撮影装置１０２には、Ｘ線検出器１、画像構成部２２（第２の画像構成部の一例に相当する）、反射部４、Ｘ線発生器５、操作部６、制御部７、および撮影部８が設けられている。  
すなわち、Ｘ線画像撮影装置１０２は、前述したＸ線画像撮影装置１０１と同様の構成を有する。ただし、Ｘ線画像撮影装置１０２においては、Ｘ線画像撮影装置１０１に設けられている投影部３とハーフミラー９を省略し、投影部３の位置に撮影部８を設けている。
【００４６】
図７に示すように、撮影部８は、配線８ａを介して画像構成部２２と電気的に接続されている。  
撮影部８は、反射部４を介して、被検体２００のＸ線撮影領域２００ａのカラー画像を撮影し、カラー画像の画像データ信号を画像構成部２２に向けて出力する。  
図５に例示をしたＸ線画像撮影装置１０１と同様に、画像構成部２２は、Ｘ線撮影領域２００ａのカラー画像の画像データ信号に基づいて、Ｘ線画像２１０の輝度や色調を補正する。
【００４７】
Ｘ線画像撮影装置１０１の場合には、補正されたＸ線画像２１０は、投影部３によりＸ線撮影領域２００ａに投影される。  
これに対し、本実施の形態に係るＸ線画像撮影装置１０２の場合には、画像構成部２２は、Ｘ線検出器１により検出されたＸ線の強度分布に基づいてＸ線画像信号を作成し、作成されたＸ線画像信号と、撮影部８により撮影された画像の画像信号と、を合成する。
例えば、画像構成部２２は、Ｘ線撮影領域２００ａのカラー画像と、補正されたＸ線画像２１０とを合成し（重ね合わし）、合成した画像を表示部６ａに表示したり、合成した画像の画像データを外部の機器に向けて出力したりする。  
なお、画像構成部２２は、Ｘ線撮影領域２００ａのカラー画像、補正されたＸ線画像２１０、および合成された画像を表示部６ａに表示したり、これらの画像データを外部の機器に向けて出力したりすることもできる。
【００４８】
また、本実施の形態に係るＸ線画像撮影装置１０２においても、Ｘ線検出器１に前述したマークを設け、被検体２００が無い状態において撮影部８によりマークを撮影し、撮影されたマークの大きさと角度情報に基づいて画像構成部２２によりＸ線画像２１０の拡大率と回転方向における位置を演算するようにすることができる。
【００４９】
本実施の形態によれば、前述したＸ線画像撮影装置１０１の場合と同様に、Ｘ線画像２１０の輝度や色調を補正することができる。  
また、補正したＸ線画像２１０をＸ線撮影領域２００ａに投影した場合と同様の画像を得ることができる。  
この場合、投影部３およびハーフミラー９を省略することができるので、Ｘ線画像撮影装置１０２の構成の簡略化、コストダウンなどを図ることができる。
【００５０】
また、前述したように、撮影部８の位置は、Ｘ線画像撮影装置１０１における投影部３の位置である。  
すなわち、Ｘ線発生器５の焦点５ｃとＸ線検出器１との間の距離Ｌ１と、撮影部８の焦点８ｂと反射部４との間の距離Ｌ２ａおよび反射部４とＸ線検出器１との間の距離Ｌ２ｂの和Ｌ２とが等しくなるようになっている。そのため、Ｘ線の拡大率と投影像（Ｘ線画像）の拡大率とを一致させることができるので、撮影箇所の把握や、部位の位置関係の把握がさらに容易となる。
【００５１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５２】
１  Ｘ線検出器、２  画像構成部、３  投影部、４  反射部、５  Ｘ線発生器、６  操作部、７  制御部、８  撮影部、９  ハーフミラー、１０  アレイ基板、１０ａ  基板、１０ｂ  光電変換部、１０ｂ１  光電変換素子、１１  回路基板、１３  シンチレータ、２２  画像構成部、１００  Ｘ線画像撮影装置、１０１  Ｘ線画像撮影装置、１０２  Ｘ線画像撮影装置、２００  被検体、２００ａ  Ｘ線撮影領域、２１０  Ｘ線画像
【図１】
2017184949.tif 000003
【図２】
2017184949.tif 000004
【図３】
2017184949.tif 000005
【図４】
2017184949.tif 000006
【図５】
2017184949.tif 000007
【図６】
2017184949.tif 000008
【図７】
2017184949.tif 000009